【手続補正書】
【提出日】平成22年10月6日(2010.10.6)
【手続補正１】
【補正対象書類名】特許請求の範囲
【補正対象項目名】全文
【補正方法】変更
【補正の内容】
【特許請求の範囲】
【請求項１】
複数の音声成分からなる入力音声信号の、前記複数の音声成分の一部を主たる成分とする第１成分主体信号を、ゲイン制御して出力する第１成分ゲイン制御手段と、
前記第１成分主体信号を、前記第１成分ゲイン制御手段において第１のゲイン制御態様でゲイン制御するようにする第１成分ゲイン制御信号を生成する第１成分ゲイン制御信号生成手段と、
前記入力音声信号の、前記第１成分以外の他の音声成分を、前記第１のゲイン制御態様と異なるゲイン制御態様の第２のゲイン制御態様で出力する他成分出力手段と、
を備える音量補正装置。
【請求項２】
請求項１に記載の音量補正装置において、
前記他成分出力手段は、前記第１成分以外の他の音声成分の出力レベルを、そのままの状態で出力する
音量補正装置。
【請求項３】
請求項１に記載の音量補正装置において、
前記他成分出力手段は、前記第１成分以外の他の音声成分を、ゲイン制御して出力する他成分ゲイン制御手段を備えると共に、
前記第１のゲイン制御信号生成手段で生成された前記第１のゲイン制御信号から、前記第１成分以外の他の音声成分を、前記他成分ゲイン制御手段において前記第２のゲイン制御態様でゲイン制御するようにする他成分ゲイン制御信号を生成する他成分ゲイン制御信号生成手段を備える
音量補正装置。
【請求項４】
請求項１〜３のいずれかに記載の音量補正装置において、
前記第１成分ゲイン制御信号生成手段で生成される前記第１成分ゲイン制御信号は、前記第１成分主体信号の出力レベルを、一定レベルにするものである
音量補正装置。
【請求項５】
請求項３に記載の音量補正装置において、
前記第１成分ゲイン制御信号生成手段で生成される前記第１成分ゲイン制御信号は、前記第１成分主体信号の出力レベルを、一定レベルにするものであると共に、
前記他成分ゲイン制御信号生成手段は、前記第１成分ゲイン制御信号による補正ゲイン値が基準範囲内であるときには、前記第１成分以外の他の音声信号をそのままのレベルで出力するように制御し、前記第１成分ゲイン制御信号による補正ゲイン値が前記基準範囲外であるときには、前記他成分ゲイン制御信号の補正ゲインは、前記第１成分ゲイン制御信号による補正ゲインとの比が所定値に調整されたものとする
音量補正装置。
【請求項６】
請求項３に記載の音量補正装置において、
前記第１成分ゲイン制御信号生成手段で生成される前記第１成分ゲイン制御信号は、前記第１成分主体信号の出力レベルを、一定レベルにするものであると共に、
前記他成分ゲイン制御信号生成手段は、前記第１成分ゲイン制御信号による前記第１成分主体信号に対するゲイン補正に対して、遅れて追従する時間遅れ特性を持たせる前記他成分ゲイン制御信号を生成する
音量補正装置。
【請求項７】
請求項６に記載の音量補正装置において、
前記他成分ゲイン制御信号生成手段は、前記他成分ゲイン制御信号による補正ゲイン値が、前記第１成分ゲイン制御信号による補正ゲイン値に対して所定の基準値を乗算した設定値を超えている場合には、前記他成分ゲイン制御信号による補正ゲイン値を前記設定値に固定するようにする
音量補正装置。
【請求項８】
請求項１〜７のいずれかに記載の音量補正装置において、
前記第１成分ゲイン制御手段の出力信号と、前記他成分出力手段の出力信号とを加算した加算出力信号を、音量補正後の音声出力信号とする
音量補正装置。
【請求項９】
請求項１〜７のいずれかに記載の音量補正装置において、
前記入力音声信号から、第１成分主体信号を分離して前記第１成分ゲイン制御手段に供給する第１の分離手段と、
前記入力音声信号から、前記第１成分主体信号を減算することにより、前記第１成分以外の他の音声成分を主体とする第２成分主体信号を分離して、前記他成分出力手段に供給する第２の分離手段と、
前記第１成分ゲイン制御手段の出力信号と、前記他成分出力手段の出力信号とを加算して、その加算出力信号を、音量補正出力信号とする加算手段と、
を備える音量補正装置。
【請求項１０】
請求項１〜７のいずれかに記載の音量補正装置において、
前記入力音声信号は、複数チャンネルの音声信号からなり、
前記第１成分主体信号は、前記複数チャンネルの音声信号の１チャンネルの信号である  音量補正装置。
【請求項１１】
請求項１〜９のいずれかに記載の音量補正装置において、
前記第１成分主体信号は、人声信号を主たる成分とするものである
音量補正装置。
【請求項１２】
請求項１０に記載の音量補正装置において、
前記第１成分主体信号は、センターチャンネルの信号である
音量補正装置。
【請求項１３】
複数の音声成分からなる入力音声信号の、前記複数の音声成分の一部を主たる成分とする第１成分主体信号を、第１のゲイン制御態様でゲイン制御して出力すると共に、
前記入力音声信号の、前記第１成分以外の他の音声成分を、前記第１のゲイン制御態様と異なるゲイン制御態様の第２のゲイン制御態様で出力する
音量補正方法。
【請求項１４】
入力音声信号のゲインを制御して音量補正する音量補正装置であるコンピュータを、
複数の音声成分からなる入力音声信号の、前記複数の音声成分の一部を主たる成分とする第１成分主体信号を、ゲイン制御して出力する第１成分ゲイン制御手段、
前記第１成分主体信号を、前記第１成分ゲイン制御手段において第１のゲイン制御態様でゲイン制御するようにする第１成分ゲイン制御信号を生成する第１成分ゲイン制御信号生成手段、
前記入力音声信号の、前記第１成分以外の他の音声成分を、前記第１のゲイン制御態様と異なるゲイン制御態様の第２のゲイン制御態様で出力する他成分出力手段、
として機能させる音量補正プログラム。
【請求項１５】
請求項１〜１１のいずれかの音量補正装置を備える電子機器。
【請求項１６】
入力された音響信号から、前記音響信号の中央に定位するセンター集中定位信号を検出するセンター集中定位信号検出部と、
前記音響信号と、前記センター集中定位信号との差分を演算することで、臨場音主体信号を生成する減算部と、
前記センター集中定位信号のレベルを検出するセンターレベル検出部と、
前記センターレベル検出部で検出された前記センター集中定位信号のレベルに基づき、前記センター集中定位信号を制御する第一のゲイン制御信号と、前記臨場音主体信号を制御する第二のゲイン制御信号とを生成するゲイン制御信号生成部と、
前記第一の制御信号を用いて、前記センター集中定位信号をゲイン制御する第一のゲイン制御部と、
前記第二の制御信号を用いて、前記臨場音主体信号をゲイン制御する第二のゲイン制御部と、
を備える音響装置。
【請求項１７】
入力された音響信号から、前記音響信号の中央に定位するセンター集中定位信号を検出するセンター集中定位信号検出手順と、
前記音響信号と、前記センター集中定位信号との差分を演算することで、臨場音主体信号を生成する減算手順と、
前記センター集中定位信号のレベルを検出するセンターレベル検出手順と、
前記センターレベル検出手順において検出された前記センター集中定位信号のレベルに基づき、前記センター集中定位信号を制御する第一のゲイン制御信号と、前記臨場音主体信号を制御する第二のゲイン制御信号とを生成するゲイン制御信号生成手順と、
前記第一の制御信号を用いて、前記センター集中定位信号をゲイン制御する第一のゲイン制御手順と、
前記第二の制御信号を用いて、前記臨場音主体信号をゲイン制御する第二のゲイン制御手順と、
を実行する音量補正方法。
【手続補正２】
【補正対象書類名】明細書
【補正対象項目名】発明の名称
【補正方法】変更
【補正の内容】
【発明の名称】音量補正装置、音量補正方法、音量補正プログラムおよび電子機器、音響装置
【手続補正３】
【補正対象書類名】明細書
【補正対象項目名】０００１
【補正方法】変更
【補正の内容】
【０００１】
この発明は、例えばテレビ放送受信機などに代表される電子機器の音声出力部に適用し
て好適な音量補正装置、音量補正方法および音量補正プログラム、音響装置に関する。